(57)【要約】【課題】釣糸が支持部とフランジ部との隙間に入り込むことを防ぐ。【解決手段】片軸受リール１は、スプール２と、リール本体３とを備えている。スプール２は、第１フランジ部２２ａを有している。リール本体３は、スプール２を回転可能に支持する部材である。リール本体３は、本体部３１と第１及び第２支持部３２ａ、３２ｂとを有している。第１及び第２支持部３２ａ、３２ｂは、第１フランジ部２２ａの外周部を支持する。第１及び第２支持部３２ａ、３２ｂはそれぞれ、延出部３２１と、案内部３２２とを有する。延出部３２１は、本体部３１から軸方向第１側に延びる。案内部３２２は延出部３２１から径方向内側に延びる。【選択図】図１
2014212754.tif 000002
【特許請求の範囲】
【請求項１】
軸方向に延びる筒状の糸巻胴部、及び前記糸巻胴部の軸方向第１側の端部に形成される第１フランジ部を有するスプールと、
前記スプールを回転可能に支持するリール本体であって、前記スプールの軸方向第２側に配置される本体部、及び前記第１フランジ部の外周部を支持するための支持部を有する前記リール本体と、を備え、
前記支持部は、前記本体部から軸方向第１側に延びる延出部と、前記延出部から径方向内側に延びる案内部とを有する、片軸受リール。
【請求項２】
前記案内部の先端面における軸方向第２側の端縁は、前記第１フランジ部の外周面の軸方向第２側の側縁と軸方向において同じ位置、又は前記第１フランジ部の外周面の軸方向第２側の側縁よりも軸方向第１側に位置する、請求項１に記載の片軸受リール。
【請求項３】
前記第１フランジ部は、小径部と、前記小径部の軸方向第１側に配置され前記小径部よりも径が大きい大径部と、を有し、
前記案内部の先端面は、前記小径部の外周面と対向する、
請求項１又は２に記載の片軸受リール。
【請求項４】
前記案内部の軸方向第２側の側面は、前記小径部の軸方向第２側の側面と面一である、請求項３に記載の片軸受リール。
【請求項５】
前記支持部は、前記案内部から軸方向第１側に向かって突出する突出部をさらに有し、
前記大径部は、前記突出部を収容する環状の溝が軸方向第２側の側面において周方向に沿って形成される、
請求項３又は４に記載の片軸受リール。
【請求項６】
前記スプールは、前記糸巻胴部の軸方向第２側の端部に形成される第２フランジ部をさらに有し、
前記本体部の外周部は、前記第２フランジ部の外周面と対向する摺動面を有し、
前記延出部の径方向内側面は、前記摺動面よりも径方向外側に位置する、
請求項１から５のいずれかに記載の片軸受リール。
【発明の詳細な説明】
【技術分野】
【０００１】
本発明は、片軸受リールに関するものである。
【背景技術】
【０００２】
片軸受リールは、フライフィッシングなどにおいて広く使用されている。例えば特許文献１に開示された片軸受リールは、リール本体と、リール本体に片持ち支持されたスプール軸と、スプール軸に回転可能に装着されたスプールとを備えている。このスプールは、スプール胴と、スプール胴の両端に形成される一対のフランジ部とを有している。
【０００３】
スプールのフランジ部の内側面には、外周部において環状の溝が形成されており、この溝部に、リール本体から軸方向に延びる支持部（支柱）の先端部が挿入されている。このようにスプールの外周部を支持部によって支持することによって、リール本体に対するスプールの円滑な回転を可能にする。
【先行技術文献】
【特許文献】
【０００４】
【特許文献１】特開２００２−２１８８７４号公報
【発明の概要】
【発明が解決しようとする課題】
【０００５】
上述した片軸受リールでは、スプールに巻かれた釣糸がたるんだ状態でスプールが回転した場合などに、そのたるんだ釣糸が支持部とフランジ部との隙間に入り込んでしまいスプールの円滑な回転を妨げるという問題が起こりうる。このような問題は、細い釣糸を使用した場合に特に起こりやすい。
【０００６】
本発明の課題は、釣糸が支持部とフランジ部との隙間に入り込むことを防ぐことにある。
【課題を解決するための手段】
【０００７】
（１）本発明のある側面に係る片軸受リールは、スプールと、リール本体とを備えている。スプールは、糸巻胴部、及び第１フランジ部を有している。糸巻胴部は軸方向に延びる筒状に形成されている。第１フランジ部は、糸巻胴部の軸方向第１側の端部に形成されている。リール本体は、スプールを回転可能に支持する部材である。リール本体は、本体部と支持部とを有している。本体部は、スプールの軸方向第２側に配置される。支持部は、第１フランジ部の外周部を支持する。支持部は、延出部と、案内部とを有する。延出部は、本体部から軸方向第１側に延びる。案内部は延出部から径方向内側に延びる。
【０００８】
この構成によれば、軸方向に延びる延出部から径方向内側に案内部が延びている。このため、スプールの糸巻胴部に巻かれた釣糸がたるんでいる状態でスプールが回転して釣糸が径方向外側へ移動した場合であっても、釣糸は案内部の軸方向第２側の側面に沿って延出部へと案内される。すなわち、たるんだ釣糸は、第１フランジ部と支持部との隙間に案内されることがない。この結果、釣糸が第１フランジ部と支持部との隙間に入り込んでしまうという問題を防ぐことができる。また、延出部へと案内された釣糸は、軸方向第１側に移動しても、径方向へと延びる案内部の軸方向第２側の側面によって移動を規制され、第１フランジ部と支持部との隙間に入り込むことを防ぐことができる。
【０００９】
（２）好ましくは、案内部の先端面における軸方向第２側の端縁は、第１フランジ部の外周面の軸方向第２側の側縁と軸方向において同じ位置、又は第１フランジ部の外周面の軸方向第２側の側縁よりも軸方向第１側に位置する。
【００１０】
この構成によれば、弛んだ釣糸が径方向外側に移動する際に、第１フランジ部の軸方向第２側の側面から案内部の軸方向第２側の側面へとより円滑に移動することができる。この結果、案内部によって釣糸をより円滑に延出部へと案内することができ、第１フランジ部と支持部との隙間に釣糸が入り込むことをより確実に防ぐことができる。
【００１１】
（３）好ましくは、第１フランジ部は、小径部と、小径部の軸方向第１側に配置され小径部よりも径が大きい大径部と、を有している。そして、案内部の先端面は、小径部の外周面と対向する。この構成によれば、小径部と大径部との段差を利用して、支持部がより安定して第１フランジ部の外周部を支持することができる。
【００１２】
（４）好ましくは、案内部の軸方向第２側の側面は、小径部の軸方向第２側の側面と面一である。この構成によれば、弛んだ釣糸が、小径部の軸方向第２側の側面から案内部の軸方向第２側の側面へと円滑に移行することができる。
【００１３】
（５）好ましくは、支持部は、案内部から軸方向第１側に向かって突出する突出部をさらに有している。そして、大径部は、突出部を収容する環状の溝が軸方向第２側の側面において周方向に沿って形成される。この構成によれば、大径部の溝に支持部の突出部が挿入されることによってスプールの外周部を支持することができるため、スプールをより安定して回転させることができる。
【００１４】
（６）好ましくは、スプールは、糸巻胴部の軸方向第２側の端部に形成される第２フランジ部をさらに有している。そして、本体部の外周部は、第２フランジ部の外周面と対向する摺動面を有し、延出部の径方向内側面は、摺動面よりも径方向外側に位置する。
【００１５】
この構成によれば、延出部の径方向内側面は摺動面よりも径方向外側に位置している。すなわち、本体部の外周部の軸方向第１側の側面である内側面が、延出部の径方向内側面と摺動面との間を径方向に延びている。このため、弛んだ釣糸は、本体部の外周部の内側面に沿って延出部へと案内され、第２フランジ部と支持部との隙間に案内されることがない。この結果、釣糸が第２フランジ部と支持部との隙間に入り込んでしまうという問題を防ぐことができる。また、延出部へと案内された釣糸は、軸方向第２側へ移動しても、径方向へと延びる本体部の外周部の内側面によって移動を規制され、第２フランジ部と支持部との隙間に入り込むことを防ぐことができる。
【発明の効果】
【００１６】
本発明によれば、釣糸が支持部とフランジ部との隙間に入り込むことを防ぐことができる。
【図面の簡単な説明】
【００１７】
【図１】片軸受リールの側面断面図。
【図２】片軸受リールの下端部の詳細を示す部分拡大斜視図。
【図３】片軸受リールの上端部の詳細を示す部分拡大斜視図。
【図４】第１支持部の軸方向第１側の端部周辺の詳細を示す部分拡大断面図である。
【図５】変形例１に係る片軸受リールの側面断面図。
【図６】変形例１に係る別の片軸受リールの側面断面図。
【図７】変形例２に係る片軸受リールの側面断面図。
【発明を実施するための形態】
【００１８】
以下、本発明に係る片軸受リールの実施形態について図面を参照しつつ説明する。図１は、片軸受リールの側面断面図である。なお、以下の説明において、軸方向とは、スプールの回転軸Ｏが延びる方向を意味し、具体的には図１の左右方向を意味する。また、軸方向第１側とは、図１の右側を意味し、軸方向第２側とは図１の左側を意味する。径方向とは、スプールの回転軸Ｏを中心とした径方向を意味し、径方向内側とはスプールの回転軸Ｏに近づく方向を意味し、径方向外側とはスプールの回転軸Ｏから遠ざかる方向を意味する。
【００１９】
図１に示すように、片軸受リール１は、スプール２、リール本体３、ローラクラッチ４、及びドラグ機構５を備えている。以下、各部材について詳細を説明する。
【００２０】
［スプール２］
スプール２は、糸巻胴部２１と、第１及び第２フランジ部２２ａ、２２ｂと、ハンドル２３と、バランスウェイト２４と、ボス部２５とを有している。糸巻胴部２１は、円筒状であって、外周面に釣糸が巻回されるように構成されている。
【００２１】
第１及び第２フランジ部２２ａ、２２ｂは、糸巻胴部２１よりも径が大きい円形状であって、糸巻胴部２１と一体的に形成されている。第１フランジ部２２ａは、糸巻胴部２１の軸方向第１側の端部から径方向外側に延びるように形成されている。また、第２フランジ部２２ｂは、糸巻胴部２１の軸方向第２側の端部から径方向外側に延びるように形成されている。
【００２２】
図２は片軸受リール１の下端部の詳細を示す部分拡大斜視図であり、図３は片軸受リール１の上端部の詳細を示す部分拡大斜視図であり、図４は後述する第１支持部３２ａの軸方向第１側の端部周辺の詳細を示す部分拡大断面図である。図１〜図３に示すように、第１フランジ部２２ａは、円板状に形成されており、軸方向に貫通する複数の貫通孔２２１ａが周方向に所定間隔をおいて形成されている。この第１フランジ部２２ａは、小径部２２２と、大径部２２３とを有している。大径部２２３は、小径部２２２よりも径が大きい円板状であって、小径部２２２の軸方向第１側に形成されている。なお、大径部２２３は、小径部２２２と一体的に形成されている。
【００２３】
図４に示すように、大径部２２３の軸方向第２側の側面である内側面２２３１に溝２２３２が形成されている。この溝２２３２は、周方向に沿って環状に形成されている。また、溝２２３２は、大径部２２３の外周部であって、小径部２２２よりも外周側に形成されている。また、溝２２３２の径方向内側の側面２２３３は、小径部２２２の外周面２２２１と径方向において同じ位置に形成されている。すなわち、溝２２３２の径方向内側の側面２２３３と、小径部２２２の外周面２２２１とは、連続して形成されている。また、大径部２２３の内側面２２３１は、小径部２２２の軸方向第２側の側面である内側面２２２２よりも軸方向第１側に位置している。
【００２４】
図１に示すように、第２フランジ部２２ｂは、円板状に形成されており、軸方向に貫通する複数の貫通孔２２１ｂ（図２参照）が周方向に所定間隔をおいて形成されている。この第２フランジ部２２ｂは、第１フランジ部２２ａと対向するように形成されており、第１フランジ部２２ａよりも径が小さい。より詳細には、第２フランジ部２２ｂの径は、第１フランジ部２２ａの小径部２２２とほぼ同じ径となっている。
【００２５】
第１フランジ部２２ａの軸方向第１側の側面である外側面には、ハンドル２３が取り付けられている。ハンドル２３は、第１フランジ部２２ａに回転可能に取り付けられており、使用者はこのハンドル２３を把持してスプール２を回転させる。
【００２６】
また、第１フランジ部２２ａの外側面には、バランスウェイト２４が取り付けられている。このバランスウェイト２４は、周方向においてハンドル２３と反対側の位置において、ボルトなどによって取り外し可能に取り付けられている。バランスウェイト２４は、円柱状の金属部材によって構成することができる。
【００２７】
ボス部２５は、糸巻胴部２１の径方向内側に設けられており、ボス部２５と糸巻胴部２１とは一体的に形成されている。このボス部２５は、円筒部２５１と、連結部２５２とを有している。円筒部２５１の内周側には、後述するスプール軸３４及びローラクラッチ４などが設置されている。スプール２は、このボス部２５を介してリール本体３に対して回転可能に取り付けられている。連結部２５２は円板状の部材であって、糸巻胴部２１と円筒部２５１とを連結している。より詳細には、連結部２５２の外周面が糸巻胴部２１の内周面に連結され、連結部２５２の内周面が円筒部２５１の外周面に連結されている。なお、円筒部２５１と連結部２５２とは一体的に形成されている。
【００２８】
［リール本体３］
リール本体３は、釣竿に装着され、スプール２を回転可能に支持する部材である。このリール本体３は、本体部３１と、第１及び第２支持部３２ａ、３２ｂと、取付部３３と、スプール軸３４と、を備えている。
【００２９】
本体部３１は、スプール２の軸方向第２側に位置しており、より詳細にはスプール２の第２フランジ部２２ｂの軸方向第２側に位置している。本体部３１は、円板状に形成されており、第２フランジ部２２ｂよりも径が大きく、第１フランジ部２２ａとほぼ同じ径である。より詳細には、本体部３１は、第１フランジ部２２ａの大径部２２３とほぼ同じ径である。
【００３０】
本体部３１は、外周部３１１が軸方向第１側に突出しており、外周部３１１の径方向内側の面として摺動面３１１１が形成されている。この摺動面３１１１は、第２フランジ部２２ｂの外周面２２４と対向するように環状に形成されている。また、外周部３１１の内側面３１１２が軸方向第１側を向いている。
【００３１】
第１支持部３２ａは、第１フランジ部２２ａの外周部を支持するための部材であって、延出部３２１、案内部３２２、及び突出部３２３を有している。この第１支持部３２ａは、片軸受リール１を釣竿に取り付けた場合、周方向において片軸受リール１の中で釣竿から最も遠い位置に設けられる。
【００３２】
延出部３２１は、本体部３１の外周部３１１から軸方向第１側に延びている。延出部３２１は、軸方向において、糸巻胴部２１とほぼ同じ長さを有する。延出部３２１の径方向内側面３２１１は、摺動面３１１１よりも径方向外側に位置している。すなわち、本体部３１の外周部３１１は、軸方向第１側の側面である内側面３１１２を有している。また、延出部３２１はスプールの回転軸Ｏと平行に延びている。
【００３３】
案内部３２２は、延出部３２１の先端部から径方向内側に延びている。図４に示すように、案内部３２２の先端面３２２１、すなわち径方向内側の側面３２２１は、第１フランジ部２２ａの外周面、より具体的には小径部２２２の外周面２２２１と対向している。また、先端面３２２１の軸方向第２側の端縁は、外周面２２２１の軸方向第２側の端縁と軸方向において同じ位置となっている。このため、案内部３２２の軸方向第２側の側面であるガイド面３２２２は、小径部２２２の内側面２２２２と面一となっている。また、ガイド面３２２２は、延出部３２１の径方向内側面３２１１に対して垂直面となっている。
【００３４】
突出部３２３は、案内部３２２の先端部（径方向内側の端部）から軸方向第１側に延びている。この突出部３２３の先端部（軸方向第１側の端部）は、大径部２２３に形成された溝２２３２内に収容されている。突出部３２３の径方向内側の側面３２３１と、案内部３２２の先端面３２２１とは連続した面となっている。
【００３５】
図１に示すように、第２支持部３２ｂは、第１フランジ部２２ａの外周部を支持するための部材であって、周方向において、第１支持部３２ａと反対側の位置に形成されている。第２支持部３２ｂは、形成される位置が第１支持部３２ａと異なるが、その他の構成は第１支持部３２ａと同じであるため、その詳細な説明を省略する。この第２支持部３２ｂの径方向外側の面には、取付部３３が設けられている。片軸受リール１は、この取付部３３を介して釣竿に取り付けられる。
【００３６】
スプール軸３４は、円柱状であって、ボス部２５の円筒部２５１内を軸方向に延びている。このスプール軸３４は、軸方向第２側の端部において雄ネジ部３４１が形成されている。このスプール軸３４の雄ネジ部３４１が本体部３１の中央に形成されたネジ孔３１２と螺合することによって、スプール軸３４が本体部３１に取り付けられる。そして、雄ネジ部３４１は先端部が本体部３１よりも軸方向第２側に突出している。また、互いに平行な一対の面取り部３４２が雄ネジ部３４１に隣接して形成されている。この面取り部３４２にスパナなどの工具を係止してスプール軸３４を本体部３１に螺合させることができる。
【００３７】
［ローラクラッチ４］
スプール軸３４と円筒部２５１との間には、ローラクラッチ４が配置されている。ローラクラッチ４は、外輪４１と、内輪４２と、複数のローラ４３とを有している。外輪４１は、ボス部２５の円筒部２５１の内周面に形成された係止溝に回転不能に装着される。内輪４２は、スプール軸３４に回転可能に装着される。複数のローラ４３は、外輪４１と内輪４２との間において、周方向に所定間隔をおいて配置されている。このローラクラッチ４は、ワンウェイクラッチとして構成されている。例えば、外輪４１の内周面にローラ４３を収容するカム面が形成されており、外輪４１が内輪４２に対して一方の方向に回転しようとすると、そのカム面とローラ４３との接触面圧が高くなり外輪４１は内輪４２に対して回転不能になる。また、外輪４１が内輪４２に対して他方の方向に回転すると、カム面とローラ４３との接触面圧が低くなり外輪４１が内輪４２に対して回転可能となる。
【００３８】
［ドラグ機構５］
ドラグ機構５は、回転円板５１、押圧円板５２、制動円板５３、及び圧接機構５４を有している。回転円板５１は、例えばステンレス等の金属製の部材であり、ローラクラッチ４の内輪４２に回転不能に係止されている。より詳細には、回転円板５１は、内輪４２の係止突起に係止される１対の係止溝を内周部に有している。
【００３９】
押圧円板５２は、本体部３１に対して、軸方向に移動可能且つ回転不能に装着されている。この押圧円板５２は、例えばステンレス等の金属製の部材であり、周方向に等間隔に配置された例えば３つの貫通孔が形成されている。制動円板５３は、回転円板５１と押圧円板５２との間に配置されており、本体部３１に対して、軸方向に移動可能且つ回転不能に装着されている。この制動円板５３は、例えばナイロン等の合成樹脂製の部材である。
【００４０】
圧接機構５４は、制動円板５３を回転円板５１側に圧接するための機構である。この圧接機構５４は、操作つまみ５４１と、コイルばね５４２と、ワッシャ５４３と、複数の押圧ピン５４４とを有している。操作つまみ５４１は、軸方向に延びる円筒状のボス部５４１１を有しており、ボス部５４１１の内周面には雌ネジ部が形成されている。このボス部５４１１の雌ネジ部に、スプール軸３４の雄ネジ部３４１が螺合している。
【００４１】
コイルばね５４２は、ボス部５４１１の外周側に装着されており、操作つまみ５４１の回転により伸縮してドラグ力を細かく調整するために設けられている。ワッシャ５４３は、コイルばね５４２により軸方向第１側に付勢されており、このコイルバネ５４２の付勢力を押圧ピン５４４に伝達するために設けられている。
【００４２】
各押圧ピン５４４は、大径部と小径部とを有する段付きピンであり、軸方向に延びた状態で本体部３１に装着されている。より詳細には、本体部３１は周方向に所定間隔で形成された複数の貫通孔を有しており、各押圧ピン５４４は軸方向第２側に位置する大径部が貫通孔内において軸方向に移動可能に装着されている。押圧ピン５４４の小径部は、押圧円板５２に形成された各貫通孔に挿通されており、押圧円板５２を本体部３１に対して回転不能に係止している。押圧ピン５４４の段差部は押圧円板５２に当接している。これにより押圧円板５２は押圧ピン５４４により軸方向第１側に押圧される。操作つまみ５４１の回動操作によって押圧円板５２に作用するコイルばね５４２の付勢力を調整することで、制動円板５３と回転円板５１との摩擦力が変化しドラグ力を調整できる。
【００４３】
［動作］
次に、上述したように構成された片軸受リール１の動作について説明する。
【００４４】
スプール２の糸巻胴部２１の外周に釣り糸を巻き取る際には、ハンドル２３を操作してスプール２を回転させる。スプール２はスプール軸３４に対して相対回転する。このとき、ローラクラッチ４は作動しないので、外輪４１は自由に回転してスプール２の巻取り方向の回転は許容される。このため、スプール２はスムーズに回転するようになっている。
【００４５】
一方、スプール２から釣り糸を繰り出す際には、スプール２は上述した方向とは逆方向に回転する。このとき、ローラクラッチ４が作動して内輪４２が外輪４１とともに回転しようとする。しかし、内輪４２は、回転円板５１を介して制動円板５３により制動されているために回転が規制される。このため、スプール２が必要以上に回転して釣り糸が過剰に引き出されるのを防止することができる。
【００４６】
［特徴］
本実施形態に係る片軸受リール１は、次の特徴を有する。
【００４７】
（１）片軸受リール１は、スプール２と、リール本体３とを備えている。スプール２は、糸巻胴部２１、及び第１フランジ部２２ａを有している。糸巻胴部２１は軸方向に延びる筒状に形成されている。第１フランジ部２２ａは、糸巻胴部２１の軸方向第１側の端部に形成されている。リール本体３は、スプール２を回転可能に支持する部材である。リール本体３は、本体部３１と第１及び第２支持部３２ａ、３２ｂとを有している。本体部３１は、スプール２の軸方向第２側に配置される。第１及び第２支持部３２ａ、３２ｂは、第１フランジ部２２ａの外周部を支持する。第１及び第２支持部３２ａ、３２ｂはそれぞれ、延出部３２１と、案内部３２２とを有する。延出部３２１は、本体部３１から軸方向第１側に延びる。案内部３２２は延出部３２１から径方向内側に延びる。
【００４８】
この構成によれば、軸方向に延びる延出部３２１から径方向内側に案内部３２２が延びている。このため、スプール２の糸巻胴部２１に巻かれた釣糸がたるんでいる状態でスプール２が回転して釣糸が径方向外側へ移動した場合であっても、釣糸は案内部３２２のガイド面３２２２に沿って延出部３２１へと案内される。すなわち、たるんだ釣糸は、第１フランジ部２２ａと第１又は第２支持部３２ａ、３２ｂとの隙間に案内されることがない。この結果、釣糸が第１フランジ部２２ａと第１又は第２支持部３２ａ、３２ｂとの隙間に入り込んでしまうという問題を防ぐことができる。また、延出部３２１へと案内された釣糸は、軸方向第１側に移動しても、径方向へと延びる案内部３２２のガイド面３２２２によって移動を規制され、第１フランジ部２２ａと第１又は第２支持部３２ａ、３２ｂとの隙間に入り込むことを防ぐことができる。
【００４９】
（２）案内部３２２の先端面３２２１における軸方向第２側の端縁は、第１フランジ部２２ａの外周面２２２１の軸方向第２側の側縁と軸方向において同じ位置となっている。この構成によれば、スプール２の回転に伴う弛んだ釣糸が径方向外側に移動する際に、第１フランジ部２２ａの内側面２２２２から案内部３２２のガイド面３２２２へとより円滑に移動することができる。この結果、案内部３２２によって釣糸をより円滑に延出部３２１へと案内することができ、第１フランジ部２２ａと第１又は第２支持部３２ａ、３２ｂとの隙間に釣糸が入り込むことをより確実に防ぐことができる。
【００５０】
（３）第１フランジ部２２ａは、小径部２２２と、小径部２２２の軸方向第１側に配置され小径部２２２よりも径が大きい大径部２２３と、を有している。そして、案内部３２２の先端面３２２１は、小径部２２２の外周面２２２１と対向する。この構成によれば、小径部２２２と大径部２２３との段差を利用して、第１及び第２支持部３２ａ、３２ｂがより安定して第１フランジ部２２ａの外周部を支持することができる。
【００５１】
（４）案内部３２２のガイド面３２２２は、小径部２２２の内側面２２２２と面一である。この構成によれば、弛んだ釣糸が、小径部２２２の内側面２２２２から案内部３２２のガイド面３２２２へと円滑に移行することができる。
【００５２】
（５）第１支持部３２ａは、案内部３２２から軸方向第１側に向かって突出する突出部３２３をさらに有している。そして、大径部２２３は、突出部３２３を収容する環状の溝２２３２が内側面２２３１において周方向に沿って形成される。この構成によれば、大径部２２３の溝２２３２に第１支持部３２ａの突出部３２３が挿入されることによってスプール２の外周部を支持することができるため、スプール２をより安定して回転させることができる。
【００５３】
（６）スプール２は、糸巻胴部２１の軸方向第２側の端部に形成される第２フランジ部２２ｂをさらに有している。そして、本体部３１の外周部３１１は、第２フランジ部２２ｂの外周面２２４と対向する摺動面３１１１を有し、延出部３２１の径方向内側面３２１１は、摺動面３１１１よりも径方向外側に位置する。この構成によれば、延出部３２１の径方向内側面３２１１は摺動面３１１１よりも径方向外側に位置している。すなわち、本体部３１の外周部３１１の内側面３１１２が、径方向に延びている。このため、弛んだ釣糸は、本体部３１の外周部３１１の内側面３１１２に沿って延出部３２１へと案内され、第２フランジ部２２ｂと第１又は第２支持部３２ａ、３２ｂとの隙間に案内されることがない。この結果、釣糸が第２フランジ部２２ｂと第１又は第２支持部３２ａ、３２ｂとの隙間に入り込んでしまうという問題を防ぐことができる。また、延出部３２１へと案内された釣糸は、軸方向第２側へ移動しても、径方向へと延びる本体部３１の外周部３１１の内側面３１１２によって移動を規制され、第２フランジ部２２ｂと第１又は第２支持部３２ａ、３２ｂとの隙間に入り込むことを防ぐことができる。
【００５４】
［変形例］
以上、本発明の実施形態について説明したが、本発明はこれらに限定されるものではなく、本発明の趣旨を逸脱しない限りにおいて種々の変更が可能である。
【００５５】
変形例１
案内部３２２のガイド面３２２２と小径部２２２の内側面２２２２とが面一になっているが、特にこれに限定されない。例えば、図５に示すように、案内部３２２のガイド面３２２２が、小径部２２２の内側面２２２２よりも、軸方向第１側に位置していてもよいし、図６に示すように、案内部３２２のガイド面３２２２が、小径部２２２の内側面２２２２よりも、軸方向第２側に位置していてもよい。
【００５６】
変形例２
上記実施形態では、案内部３２２は、径方向に平行、すなわち軸方向に垂直に延びていたが特にこれに限定されない。例えば、図７に示すように、案内部３２２は傾斜した状態で径方向に延びていてもよい。
【００５７】
変形例３
例えば、上記実施形態では、案内部３２２の先端面３２２１は、小径部２２２の外周面２２２１と対向しているが、特にこれに限定されない。例えば、案内部３２２の先端面３２２１は、大径部２２３の外周面と対向していてもよいし、小径部２２２の外周面２２２１及び大径部２２３の外周面の両方と対向していてもよい。
【００５８】
変形例４
大径部２２３の内側面２２３１に形成された溝２２３２は、連続して形成されていてもよいし、断続的に形成されていてもよい。
【符号の説明】
【００５９】
１    片軸受リール
２    スプール
２１    糸巻胴部
２２ａ    第１フランジ部
２２ｂ    第２フランジ部
２２２    小径部
２２２１    外周面
２２２２    小径部の内側面（軸方向第２側の側面）
２２３    大径部
２２３１    大径部の内側面（軸方向第２側の側面）
２２３２    溝
３    リール本体
３１    本体部
３１１    外周部
３１１１    摺動面
３２ａ    第１支持部（支持部）
３２ｂ    第２支持部（支持部）
３２１    延出部
３２２    案内部
３２２１    先端面
３２２２    ガイド面（軸方向第２側の側面）
３２３    突出部
【図１】
2014212754.tif 000003
【図２】
2014212754.tif 000004
【図３】
2014212754.tif 000005
【図４】
2014212754.tif 000006
【図５】
2014212754.tif 000007
【図６】
2014212754.tif 000008
【図７】
2014212754.tif 000009